(57)【要約】【課題】顔料インク組成物を用いたインクジェット記録方法において、記録物の光沢を向上させる記録方法及び該記録方法によって記録が行われた記録物を提供する。【解決手段】複数の大きさの液滴を吐出することが可能な液体吐出装置を使用して、顔料インク組成物を吐出させて記録媒体に画像を形成するインクジェット記録方法において、該複数の大きさの液滴のうち、最大の液滴のみを使用して画像を形成することを特徴とするインクジェット記録方法により解決する。【選択図】なし【特許請求の範囲】
【請求項１】
複数の大きさの液滴を吐出することが可能な液体吐出装置を使用して、顔料インク組成物を吐出させて記録媒体に画像を形成するインクジェット記録方法において、
該複数の大きさの液滴のうち、最大の液滴のみを使用して画像を形成することを特徴とするインクジェット記録方法。
【請求項２】
前記最大の液滴を、印字ｄｕｔｙが３０％以上の領域に使用することを特徴とする請求項１に記載のインクジェット記録方法。
【請求項３】
前記最大の液滴を、印字ｄｕｔｙが６０％以上の領域に使用することを特徴とする請求項１又は２に記載のインクジェット記録方法。
【請求項４】
該記録媒体として、インクジェット記録用の光沢紙を用いることを特徴とする請求項１〜３のいずれか１項に記載のインクジェット記録方法。
【請求項５】
前記記録媒体は、その２０度鏡面光沢度が１０以上であることを特徴とする請求項１〜４のいずれか１項に記載のインクジェット記録方法。
【請求項６】
前記顔料インク組成物として、その顔料固形分が３〜１５重量％である顔料インク組成物を使用することを特徴とする請求項１〜５のいずれか１項に記載のインクジェット記録方法。
【請求項７】
請求項１〜６のいずれか１項に記載のインクジェット記録方法によって記録が行われた記録物。
【発明の詳細な説明】
【技術分野】
【０００１】
本発明は、インクジェット記録方法及び記録物に関し、詳細には、顔料インク組成物を用いたインクジェット記録方法において、記録物の光沢を向上させる記録方法及び該記録方法によって記録が行われた記録物に関する。
【背景技術】
【０００２】
インクジェット記録方法は、インクの小滴を飛翔させ、紙等の記録媒体に付着させて印刷を行う印刷方法である。インクとしては、一般に各種の水溶性染料を水又は水と水溶性有機溶剤とに溶解させたものが使用されている。染料インクは、色材が記録媒体の内部に定着するため、記録媒体の質感がそのまま印刷結果となる。即ち、光沢紙等、光沢感のある記録媒体を用いることにより、そのまま光沢感のある画像を形成することができる。しかしながら、このような水溶性染料を含むインク（染料インク）により形成された画像は耐水性や耐光性に劣ることが一般に指摘されている。
【０００３】
これに対して、顔料を水性媒体に分散させて得られたインク（顔料インク）は、耐水性及び耐光性に優れる。例えば、顔料を界面活性剤や高分子分散剤で分散した顔料インクが提案されている。しかしながら、顔料インクは、色材が染料インクよりも大きな粒子であり、記録媒体の内部ではなく表面に付着して画像が形成される。そのため、記録媒体が光沢を有していても、顔料色材が付着すると画像形成面が粗くなり、光が乱反射する結果、十分な光沢感が得られない。
【０００４】
そのような状況の中で、普通紙の光沢感の向上と専用紙の光沢感の向上を両立させることを目的として種々のインクジェット記録方法及びインク組成物が提案されている。例えば、同一色相の濃淡インクを用い、淡インクの最大Ｄｕｔｙで記録媒体に付着できる顔料濃度に達するまでは淡インクを吐出し、該顔料濃度よりも高い顔料濃度部分についてのみ、濃インクを吐出することで画像の光沢感を向上させるインクジェット記録方法が提案されている（特許文献１）。また、着色剤を含まないクリアインク組成物を用いて記録媒体に付着させることにより、記録物の光沢性に優れた画像を得るクリアインク組成物及びインクジェット記録方法が提案されている（特許文献２）。
【特許文献１】特開２００３-３２０６５９号公報
【特許文献２】特開２００３-２６６９１２号公報
【発明の開示】
【発明が解決しようとする課題】
【０００５】
しかしながら、普通紙と専用紙ではそもそも記録媒体としての構成が異なるものである。そのため、普通紙及び専用紙ともに光沢性等の特性を共に向上させようとすると、例えば普通紙及び専用紙ともに画質が向上しているものの、専用紙では未だ改善の余地があるなど、いずれか単独で見た場合、必ずしも満足のいく特性が得られていないのが現状である。
【０００６】
画質の向上は顔料インク組成物や顔料インク組成物を用いたインクセットでの改良が広く行われているが、顔料インク組成物やインクセットでの改良は、インク数の増加、ノズル数増加に伴うプリンタの大型化が懸念される。そのため、顔料インク組成物やインクセットでの改良を行わなくても光沢性の向上を図ることができるインクジェット記録方法の開発が望まれていた。
【０００７】
よって、本発明は、顔料インク組成物を用いたインクジェット記録方法において、記録物の光沢を向上させる記録方法及び該記録方法によって記録が行われた記録物を提供することを目的とする。
【課題を解決するための手段】
【０００８】
本発明者は鋭意検討の結果、複数の大きさの液滴を吐出するための液体吐出部を備えた液体吐出装置を用いて顔料インク組成物を吐出して記録媒体に画像を形成する際、顔料インク組成物の液滴の大きさと記録物の光沢性との間に相関関係があることを見い出した。
【０００９】
本発明はかかる知見に基づきなされたものであり、複数の大きさの液滴を吐出することが可能な液体吐出装置を使用して、顔料インク組成物を吐出させて記録媒体に画像を形成するインクジェット記録方法において、該複数の大きさの液滴のうち、最大の液滴のみを使用して画像を形成することを特徴とするインクジェット記録方法を提供するものである。
【００１０】
このような構成により、顔料インク組成物を用いて画像を形成する場合であっても、光沢性を向上させることができる。
【００１１】
上記発明の好ましい態様は次の通りである。前記最大の液滴は、印字ｄｕｔｙが３０％以上の領域に使用することが好ましい。
【００１２】
前記最大の液滴は、印字ｄｕｔｙが６０％以上の領域に使用することが好ましい。
【００１３】
該記録媒体として、インクジェット記録用の光沢紙を用いることが好ましい。
【００１４】
前記記録媒体は、その２０度鏡面光沢度が１０以上であることが好ましい。
【００１５】
前記顔料インク組成物として、その顔料固形分が３〜１５重量％である顔料インク組成物を使用することが好ましい。
【００１６】
また、本発明は、上記いずれかに記載のインクジェット記録方法によって記録が行われた記録物を提供するものである。
【発明を実施するための最良の形態】
【００１７】
次に、本発明の好ましい実施形態について更に詳細に説明する。本発明のインクジェット記録方法は、既述のように、複数の大きさの液滴を吐出することが可能な液体吐出装置を使用して、顔料インク組成物を吐出させて記録媒体に画像を形成するインクジェット記録方法において、該複数の大きさの液滴のうち、最大の液滴のみを使用して画像を形成するものである。
【００１８】
「複数の大きさの液滴を吐出することが可能な液体吐出装置」とは、例えば、大ドット、中ドット、小ドット等、異なる３つの液滴量の液滴を解像度に応じて自在に混在させることができる液体吐出装置をいう。このような液体吐出装置は、濃度の高い階調部分には大きなインクドットを、濃度の低い階調部分には小さなインクドットを形成することにより、階調豊かで、美しい写真高画質を実現するものである。
【００１９】
具体的には、解像度が５７６０ｄｐｉ×１４４０ｄｐｉの場合、液滴を、１．５ｐｌ、３ｐｌ、７ｐｌの３段階で調節する。同様に、解像度が１４４０ｄｐｉ×７２０ｄｐｉの場合、液滴が小さい順から３ｐｌ、７ｐｌ、１４ｐｌとする。また、解像度が７２０ｄｐｉ×７２０ｄｐｉの場合、液滴が小さい順から、７ｐｌ、１４ｐｌ、２１ｐｌとする。ただし、液滴量は上記に限定することなく、印字物を形成する上で不具合を与えない範囲において任意に調整できる。
【００２０】
なお、上記ドットサイズの液滴を吐出することが可能な液体吐出装置は、液滴を吐出しない部分も階調に寄与することも考慮すれば、４段階の液滴が吐出可能と考えることができる。更に、上記の例では３つの異なるドットサイズの液滴を吐出できる液体吐出装置を説明したが、大・小２サイズの液滴を吐出することが可能な液体吐出装置であってもよい。
【００２１】
本実施形態においては、液体吐出装置が吐出可能な複数の大きさの液滴のうち、最大の液滴のみを使用して画像を形成する。従って、上記ドットサイズはあくまでも相対的なものであり、特定の液滴量（ｐｌ）が記録媒体への光沢性に影響を及ぼすものではない。
【００２２】
最大の液滴は、解像度ごとに異なる。そのため、プリンタドライバ等が記録媒体のサイズや画像データの内容に基づき、どの液滴量で印刷するかを判断する。
【００２３】
かかる液体吐出装置は市販のものを使用することができる。例えば、セイコーエプソン社製のＰＭ−Ａ９００、ＰＭ−Ａ８７０、ＰＭ−Ａ７００、Ｅ−２００、Ｅ−１００、ＰＭ−Ｄ７７０、ＰＭ−Ｄ１０００、ＰＸ−Ｇ５０００、ＰＸ−Ｇ９２０、ＰＭ−４０００ＰＸ、ＰＸ−９５００、ＰＸ−７５００、ＰＸ−６５００、ＰＸ−５５００、ＰＭ−Ｇ８２０、ＰＭ−Ｇ７２０、ＰＸ−Ｖ５００、ＰＭ−３７００Ｃ、ＰＸ−９５００Ｓ、ＰＸ−７５００Ｓ、ＰＸ−６２００Ｓ等を挙げることができる。
【００２４】
本実施形態において、光沢性の向上と粒状性の向上を両立させる観点からは、顔料インク組成物の顔料種に応じて、最大の液滴を使用する印字ｄｕｔｙ領域を選択することが好ましい。ここで、「印字ｄｕｔｙ」とは、下記の式（１）で定義され、算出される値Ｄの単位を示すものを意味する。
【００２５】
Ｄ＝｛実印字ドット数／（縦解像度×横解像度）｝×100（％）（１）
（式中、「実印字ドット数」は、単位面積当たりの実印字ドット数であり、「縦解像度」および「横解像度」は、それぞれ単位面積当たりの解像度である。）
【００２６】
例えば、最大液滴を用いる印字ｄｕｔｙ領域を、イエローインク組成物の場合は印字ｄｕｔｙ０％以上、マゼンタインク組成物の場合は印字ｄｕｔｙ３０％以上、シアンインク組成物の場合は印字ｄｕｔｙ６０％以上とすることで、光沢向上と粒状性の両立を確保することが可能である。
【００２７】
本実施形態においては、記録媒体として、インクジェット記録用の光沢紙を用いることが好ましい。ここで、「光沢紙」とは、普通紙の表面に特殊なコーティングを施すことにより表面光沢に優れたインク受容層を形成したものをいう。一般的には、キャスト法によりインク受容層を形成し表面に光沢が付与されたキャスト光沢紙や、樹脂を主成分とするインクジェット記録層を形成したポリマーコート光沢紙がある。また、他のポリマーコート光沢紙として、電子線硬化型の樹脂を用いた記録媒体も用いることができる。
【００２８】
前記記録媒体は、印字物への光沢性を確保する観点から、その２０度鏡面光沢度が１０以上であることがより好ましい。ここで、「鏡面光沢度」とは、記録媒体の表面に当たった光が正反射した程度を表す量をいう。
【００２９】
「鏡面光沢度」とは、記録媒体の表面に当たった光が正反射した程度を表す量をいう。ＪＩＳでは屈折率１．５６７であるガラス表面において、入射角が６０度である場合の反射率１０％を光沢度１００％とし、入射角が２０度である場合の反射率５％を光沢度１００％としている。従って、「２０度鏡面光沢度」とは、屈折率１．５６７である記録媒体において、入射角が２０度である場合の反射率５％を基準（１００％）としたときの反射率をいう。
【００３０】
本実施形態においては、耐水性及び耐光性の観点から、顔料インク組成物が使用される。顔料は、無機顔料及び有機顔料のいずれも使用することができる。
【００３１】
無機顔料としては、ファーネスブラック、ランプブラック、アセチレンブラック、チャネルブラック等のカーボンブラック（Ｃ．Ｉ．ピグメントブラック７）類、酸化鉄、酸化チタン等を使用することができる。
【００３２】
また、有機顔料として、不溶性アゾ顔料、縮合アゾ顔料、アゾレーキ、キレートアゾ顔料などのアゾ顔料、フタロシアニン顔料、ペリレン及びペリノン顔料、アントラキノン顔料、キナクリドン顔料、ジオキサン顔料、チオインジゴ顔料、イソインドリノン顔料、キノフタロン顔料等の多環式顔料、染料キレート（たとえば、塩基性染料型キレート、酸性染料型キレートなど）、染色レーキ（塩基性染料型レーキ、酸性染料型レーキ）、ニトロ顔料、ニトロソ顔料、アニリンブラック、昼光蛍光顔料等が挙げられる。上記顔料は１種単独でも、２種以上併用して用いることもできる。
【００３３】
また、カラーインデックスに記載されていない顔料であっても水に不溶であればいずれも使用できる。
【００３４】
ブラックインク組成物に使用される顔料としては、カーボンブラックが好ましい。カーボンブラックの具体例としては、三菱化学製の＃２３００、＃９００、ＨＣＦ８８、＃３３、＃４０、＃４５、＃５２、ＭＡ７、ＭＡ８、ＭＡ１００、＃２２００Ｂ等、コロンビア社製のＲａｖｅｎ５７５０、同５２５０、同５０００、同３５００、同１２５５、同７００等、キャボット社製のＲｅｇａｌ  ４００Ｒ、同３３０Ｒ、同６６０Ｒ、Ｍｏｇｕｌ  Ｌ、同７００、Ｍｏｎａｒｃｈ  ８００、同８８０、同９００、同１０００、同１１００、同１３００、同１４００等、デグッサ社製のＣｏｌｏｒ  Ｂｌａｃｋ  ＦＷ１、同ＦＷ２Ｖ、同ＦＷ１８、同ＦＷ２００、Ｃｏｌｏｒ  Ｂｌａｃｋ  Ｓ１５０，同Ｓ１６０、同Ｓ１７０、Ｐｒｉｎｔｅｘ  ３５、同Ｕ、同Ｖ、同１４０Ｕ、Ｓｐｅｃｉｓａｌ  Ｂｌａｃｋ  ６、同５、同４Ａ、同４等を挙げることができ、これらの１種又は２種の混合物として用いてもよい。
【００３５】
イエローインク組成物に使用される顔料としては、Ｃ．Ｉ．ピグメントイエロー１、２、３、１２、１３、１４、１６、１７、７３、７４、７５、８３、９３、９５、９７、９８、１０９、１１０、１１４、１２８、１２９、１３８、１５０、１５１、１５４、１５５、１８０、１８５等が挙げられ、好ましくはＣ．Ｉ．ピグメントイエロー７４、１０９、１１０、１２８及び１３８からなる群から選択される１種又は２種以上の混合物である。
【００３６】
マゼンタインク組成物に使用される顔料としては、Ｃ．Ｉ．ピグメントレッド、５、７、１２、４８（Ｃａ）、４８（Ｍｎ）、５７（Ｃａ）、１５：１、１１２、１２２、１２３、１６８、１８４、２０２、２０９及びＣ．Ｉ．ピグメントバイオレット１９等が挙げられ、好ましくはＣ．Ｉ．ピグメントレッド１２２、２０２、２０９及びＣ．Ｉ．ピグメントバイオレット１９からなる群から選択される１種又は２種以上の混合物である。
【００３７】
シアンインク組成物に使用される顔料としては、Ｃ．Ｉ．ピグメントブルー１、２、３、１５：３、１５：４、１５：３４、１６、２２、６０及びＣ．Ｉ．バットブルー４、６０等が挙げられ、好ましくはＣ．Ｉ．ピグメントブルー１５：３、１５：４及び６０からなる群から選択される１種又は２種以上の混合物である。
【００３８】
前記顔料インク組成物は、普通紙における発色性を確保する観点から、その顔料固形分が３〜１５重量％であることが好ましく、光沢性の観点から、３〜１０重量％であることが更に好ましい。
【００３９】
本実施形態に使用されるインク組成物には、顔料の分散安定性を高める観点から、分散剤を含有させることが好ましい。分散剤としては、この種の顔料インクにおけるものと同様のものを特に制限なく用いることができ、例えば、高分子分散剤、カチオン性界面活性剤、アニオン性界面活性剤、ノニオン性界面活性剤などが挙げられる。
【００４０】
高分子分散剤の例としては、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニルアクリル酸共重合体などが挙げられる。
【００４１】
また、カチオン性界面活性剤の例としては、ポリオキシエチレンアルキルエーテルサルフェートのアンモニウム塩などが挙げられ、アニオン性界面活性剤の例としては、ドデシルベンゼンスルホン酸ナトリウム、ラウリル酸ナトリウムなどが挙げられ、ノニオン性界面活性剤の例としては、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミドなどが挙げられ、これらの１種又は２種以上が用いられる。特に、スチレン−（メタ）アクリル酸共重合体を用いることが好ましい。
【００４２】
また、分散剤としては、市販のものを使用することができ、その具体例としては、ジョンソンポリマー株式会社製、ジョンクリル６１Ｊ（分子量１００００、酸価１９５）、ジョンクリル６８（分子量１００００、酸価１９５）、ジョンクリル４５０（分子量１００００〜２００００、酸価１００）、ジョンクリル５５（分子量７５００、酸価２００）、ジョンクリル５５５（分子量５０００、酸価２００）、ジョンクリル５８６（分子量３１００、酸価１０５）、ジョンクリル６８０（分子量３９００、酸価２１５）、ジョンクリル６８２（分子量１６００、酸価２３５）、ジョンクリル６８３（分子量７３００、酸価１５０）、Ｂ−３６（分子量６８００、酸価２５０）等が挙げられる。なお、分子量とは、重量平均分子量を示す。
【００４３】
前記分散剤は、前記インク中において、前記顔料に対して、固形分換算で好ましくは、０．１〜１０重量％、更に好ましくは、０．３〜６重量％含有される。
【００４４】
また、本発明に使用されるインク組成物には、上述した顔料および分散剤の代わりに、顔料粒子表面に直接分散性付与基を化学的に導入した、いわゆる表面処理顔料（自己分散顔料）を用いることもできる。
【００４５】
湿潤剤は、インクジェットプリンタのノズルの目詰まり防止のため好ましい。湿潤剤としては、例えば、グリセリン、トリエタノールアミン、エチレングリコール、ジエチレングリコール、トリエチレングリコール、テトラエチレングリコール、プロピレングリコール、ジプロピレングリコール、トリプロピレングリコール、分子量２０００以下のポリエチレングリコール、1，３−プロピレングリコール、イソプロピレングリコール、イソブチレングリコール、１，４−ブタンジオール、１，３−ブタンジオール、１，５−ペンタンジオール、１，６−ヘキサンジオール、メソエリスリトール、ペンタエリスリトール等の多価アルコールが挙げられ、好ましくはグリセリン、トリエタノールアミンである。
【００４６】
湿潤剤の添加量は適宜決定されてよいが、インク組成物に対して１〜３０重量％程度が好ましく、より好ましくは５〜１５重量％程度である。
【００４７】
また、本実施形態に用いられる各インク組成物は、記録媒体への濡れ性を高めてインクの浸透性を高める観点から、浸透促進剤を含有させることができる。浸透促進剤は、記録媒体への濡れ性を高めて有機顔料の浸透性を高めるため好ましい。浸透促進剤としては、例えば、カチオン性界面活性剤、アニオン性界面活性剤、ノニオン性界面活性剤等の各種界面活性剤；メタノール、エタノール、イソプロピルアルコール等のアルコール類；エチレングリコールモノメチルエーテル、ジエチレングリコールモノエチルエーテル、ジエチレングリコールモノブチルエーテル、トリエチレングリコールモノブチルエーテル、プロレングリコールモノブチルエーテル、プロレングリコールモノブチルエーテル等の多価アルコールの低級アルキルエーテル；１，２−ペンタンジオール、１，２−ヘキサンジオール等のジオールが挙げられ、これらの１種又は２種以上が用いられる。特に、１，２−ヘキサンジオール等のジオールを用いることが好ましい。
【００４８】
前記浸透促進剤は、インク組成物中、０．１〜２０重量％程度が好ましく、より好ましくは３〜１５重量％程度である。
【００４９】
浸透剤のその他の好ましい例としては、１，２−アルカンジオール及び／又は下記一般式（１）に示すポリエーテル変性オルガノシロキサン系化合物を挙げることができる。
【化１】
2007098790.tif 000002
（式中、Ｒ１〜Ｒ７は、それぞれ独立して、Ｃ１−６アルキル基であり、ｊ、ｋ及びｇは、それぞれ独立して、１以上の整数であり、ＥＯはエチレンオキシ基であり、ＰＯはプロピレンオキシ基であり、ｐ及びｑは０以上の整数であるが、但しｐ＋ｑは１以上の整数であり、ＥＯ及びＰＯは、［  ］内においてその順序は問わず、ランダムであってもブロックであってもよい）
【００５０】
１，２−アルカンジオールとしては、炭素数が４〜６のもの、例えば、１，２−ブタンジオール、１，２−ペンタンジオール、または１，２−ヘキサンジオールが挙げられ、好ましくは、１，２−ペンタンジオール、１，２−ヘキサンジオールであり、さらに好ましくは、１，２−ヘキサンジオールである。これらは一種または二種以上の組み合わせで用いることもできる。
【００５１】
１，２−アルカンジオールの添加量は、インク組成物に対して０．１〜２０重量％程度の範囲が好ましく、より好ましくは３〜１５重量％程度、更に好ましくは５〜１０重量％程度である。
【００５２】
また、上記一般式（１）で表されるポリエーテル変性オルガノシロキサン系化合物としては、好ましくは、Ｒ１〜Ｒ７が独立して炭素数１〜６のアルキル基、好ましくはメチル基である。ｊ、ｋ及びｇは、独立して、１以上の整数であるが、より好ましくは１〜２である。また、ｐ及びｑは０以上の整数であるが、但しｐ＋ｑは１以上の整数である。
【００５３】
上記一般式（１）で表されるポリエーテル変性オルガノシロキサン系化合物としては、より好ましくは、例えば、ｊ＝ｋ＋１を満足する化合物、Ｒ１〜Ｒ７が全てメチル基であり、ｊが２であり、ｋが１であり、ｇが１であり、ｐが１以上の整数であり、ｑが０である化合物等が挙げられる。
【００５４】
上記一般式（１）で表される化合物は市販されており、それらを利用することが可能である。例えば、ビッグケミー・ジャパン株式会社より市販されているシリコン系界面活性剤ＢＹＫ−３４５、ＢＹＫ−３４６、ＢＹＫ−３４７、又はＢＹＫ−３４８が利用可能である。
【００５５】
ポリエーテル変性オルガノシロキサン系化合物の添加量は適宜決定されてよいが、インク組成物に対して０．０１〜５重量％程度の範囲が好ましく、より好ましくは０．１〜１重量％程度、更に好ましくは０．３〜０．５重量％程度である。
【００５６】
浸透剤のその他の好ましい例としては、多価アルコール低級アルキルエーテル（グリコールエーテル）類及び／又は下記の一般式（２）で表されるアセチレングリコール系界面活性剤を挙げることができる。
【化２】
2007098790.tif 000003
（式中、０≦ｍ＋ｎ≦３０であり、Ｒ１〜Ｒ４は、それぞれ独立してＣ１−６アルキル基である）
【００５７】
多価アルコール低級アルキルエーテルの添加量は１〜３０重量％であるのが好ましく、より好ましくは５〜２０重量％である。
【００５８】
上記一般式（２）で表されるアセチレングリコール系界面活性剤として市販品を利用することも可能であり、その具体例としてサーフィノール１０４、８２、４６５、４８５又はＴＧ（いずれもAir Product and Chemicals. Inc. より入手可能）、オルフィンＳＴＧ、オルフィンＥ１０１０（以上、日信化学社製（商品名））を挙げることができる。
【００５９】
アセチレングリコール系界面活性剤の添加量は適宜決定されてよいが、インク組成物に対して０．０１〜５重量％であるのが好ましく、より好ましくは０．１〜２重量％の範囲である。
【００６０】
さらに、本実施形態に使用されるインク組成物には、トリエタノールアミンやアルカリ金属水酸化物等のｐＨ調整剤、アルギン酸ナトリウム等の水溶性ポリマー、水溶性樹脂、フッ素系界面活性剤、防腐剤、防カビ剤、防錆剤、溶解助剤、酸化防止剤、及び紫外線吸収剤等から選ばれる材料を所望により添加することができる。これらの成分は、各種別に一種又は二種以上を混合して用いることができる。また、添加する必要がなければ添加しなくてもよい。当業者は本発明の効果を損なわない範囲で、選択された好ましい添加剤を好ましい量で用いることができる。なお、上記溶解助剤とは、インク組成物から不溶物が析出する場合に、その不溶物を溶解し、インク組成物を均一な溶液に保つための添加剤である。
【００６１】
上記溶解助剤としては、Ｎ−メチル−２−ピロリドン、２−ピロリドンなどのピロリドン類、尿素、チオ尿素、テトラメチル尿素などの尿素類、アロハネート、メチルアロハネート等のアロハネート類、ビウレット、ジメチルビウレット、テトラメチルビウレットなどのビウレット類などを挙げることができるがこれらに限定されない。また、上記酸化防止剤の例としては、Ｌ−アスコルビン酸及びその塩類等が例示できるが、これらに限定されない。
【００６２】
上記防腐剤又は防カビ剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、及び１，２−ジベンジソチアゾリン−３−オン（ＡＶＥＣＩＡ社のプロキセルＣＲＬ、プロキセルＢＤＮ、プロキセルＧＸＬ、プロキセルＸＬ−２、及びプロキセルＴＮ（以上商品名）等を例示できるが、これらに限定されない。
【００６３】
上記ｐＨ調整剤しては、ジエタノールアミン、トリエタノールアミン、プロパノールアミン、モルホリン等のアミン類及びそれらの変性物、水酸化カリウム、水酸化ナトリウム、水酸化リチウムなどの金属水酸化物、水酸化アンモニウム、四級アンモニウム水酸化物（テトラメチルアンモニウム等）等のアンモニウム塩、炭酸カリウム、炭酸ナトリウム、炭酸リチウムなどの炭酸塩類その他燐酸塩類などが例示できるがこれらに限定されない。
【００６４】
本実施形態に使用されるインク組成物には、上記添加物のほか、バランスとして水を含有させる。水は、イオン交換水、限外ろ過水、逆浸透水、蒸留水等の純水又は超純水を用いることが好ましい。特に、これらの水を、紫外線照射又は過酸化水素添加等により滅菌処理した水は、長期間に亘ってカビやバクテリアの発生が防止されるので好ましい。
【００６５】
［記録物］
更に、本実施形態によれば、上述したインクジェット記録方法により記録された記録物も提供される。この記録物は、少なくとも上記インクジェット記録方法により液滴を吐出し、該液滴を記録媒体に付着して記録が行われたものである。
【００６６】
上記インクジェット記録方法により記録された記録物は、複数の大きさの液滴のうち、最大の液滴のみを使用して画像が形成されたため、光沢性に優れた記録物となる。顔料インク組成物の好ましい顔料濃度及び好ましい記録媒体については先に述べたとおりである。
【実施例】
【００６７】
実施例及び比較例に使用するインク組成物を、表１に示す配合割合で調製した。即ち、表１に示す各成分を混合して溶解させ、孔径１μｍのメンブランフィルターにて加圧濾過を行って、各インク組成物を得た。なお、表１中に示すインク組成物の各成分はインク組成物全量に対する各成分の重量％を示す。
【００６８】
【表１】
2007098790.tif 000004
【００６９】
インクジェットプリンタは、解像度ごとに液滴の大きさ（液滴量）を３段階に変えることが可能な液体吐出部を備えたインクジェットプリンタ（セイコーエプソン社製ＰＸ−Ｇ９２０）を用いた。当該インクジェットプリンタがある解像度（以下、「解像度Ａ」という）のときに吐出可能な液滴の大きさ（液滴量）の関係は表２の通りである。表２においては、解像度Ａにおける最大の液滴は液滴Ａである。そして、上記インク組成物Ｙ１、Ｍ１及びＣ１とも、解像度Ａにおける最大の液滴量となる液滴Ａが吐出されるように上記インクジェットプリンタの液滴量を設定した。
【００７０】
【表２】
2007098790.tif 000005
【００７１】
［実施例１］
表１に記載のインク組成物Ｙ１、Ｍ１及びＣ１の各々を、インクジェットプリンタを用いて、インクジェット専用記録媒体（ＰＭ写真用紙：セイコーエプソン社製）に印字ｄｕｔｙが０％、１０％、２０％、３０％、・・・、１００％の１１個のパッチを、表２に示す液滴Ａのみを用いて印字し、インク組成物Ｙ１、Ｍ１及びＣ１のそれぞれについて記録物を得た。
【００７２】
［実施例２］
印字ｄｕｔｙ３０％以上の領域を表２に示す液滴Ａを用いて印刷し、印字ｄｕｔｙ３０％未満の領域は表２に示す液滴Ａ，Ｂ，Ｃのうち２種以上を用いて印刷した以外は実施例１と同様に印刷し、記録物（パッチ）を得た。
【００７３】
［実施例３］
印字ｄｕｔｙ６０％以上の領域を表２に示す液滴Ａを用いて印刷し、印字ｄｕｔｙ６０％未満の領域は表２に示す液滴Ａ，Ｂ，Ｃのうち２種以上を用いて印刷した以外は実施例１と同様に印刷し、記録物を得た。
【００７４】
［実施例４］
表１に記載のインク組成物Ｙ２、Ｍ２、Ｃ２を用いた以外は実施例１と同様に印刷し、記録物を得た。
【００７５】
［実施例５］
記録媒体として普通紙（Ｘｅｒｏｘ−４０２４：ゼロックス社製）を用い、印字ｄｕｔｙ１００％のベタパターンで印字し、記録物を得たこと以外は実施例１と同様に印刷し、記録物を得た。
【００７６】
［実施例６］
記録媒体として普通紙（Ｘｅｒｏｘ−４０２４：ゼロックス社製）を用い、印字ｄｕｔｙ１００％のベタパターンで印字し、記録物を得たこと以外は実施例２と同様に印刷し、記録物を得た。
【００７７】
［実施例７］
記録媒体として普通紙（Ｘｅｒｏｘ−４０２４：ゼロックス社製）を用い、印字ｄｕｔｙ１００％のベタパターンで印字し、記録物を得たこと以外は実施例３と同様に印刷し、記録物を得た。
【００７８】
［比較例１］
上記インク組成物Ｙ１、Ｍ１及びＣ１とも、液滴Ａ、Ｂ、Ｃのうち２種以上が吐出されるように上記インクジェットプリンタの液滴量を設定したこと以外は実施例１と同様に印刷し、記録物を得た。
【００７９】
［比較例２］
記録媒体として普通紙（Ｘｅｒｏｘ−４０２４：ゼロックス社製）を用い、印字ｄｕｔｙ１００％のベタパターンで印字し、記録物を得たこと以外は実施例４と同様に印刷し、記録物を得た。
【００８０】
［試験例１］光沢性の評価
実施例１〜４及び比較例１で得られたパッチをサンプルとして、光沢の評価を行った。  光沢性の評価は、光沢度計ＧＭ−２６８（コニカミノルタ社製）を用いて、２０度鏡面光沢度を測定した。そして、各パッチの測定値を合計し、以下の評価基準で評価した。結果を表３に示す。
（評価基準）ＹＭＣ各インクにおいて、比較例１を１００としたときに、
Ａ：１０５を超える
Ｂ：１００を超えて、１０５以下
Ｃ：１００以下
【００８１】
【表３】
2007098790.tif 000006
【００８２】
［試験例２］粒状感の評価
実施例１〜４及び比較例１の記録物をサンプルとして、粒状感の評価を行った。粒状感の評価は、各サンプルを目視にて観察し、以下の基準にて判定した。結果を表４に示す。
Ａ：１５ｃｍ離れた距離での目視観察では、粒状性の劣化は確認できなかった。
Ｂ：３０ｃｍ離れた距離での目視観察では、粒状性の劣化は確認できなかった。
Ｃ：３０ｃｍ離れた距離での目視観察において、粒状性の劣化が確認できた。
【００８３】
【表４】
2007098790.tif 000007
【００８４】
一般的に、大ドットの液滴を用いて画像を形成すると、中ドット及び／又は小ドットの液滴を併用して画像を形成した場合と比較して粒状感は劣化するが、印字ｄｕｔｙが６０％以上の領域（実施例３）においては、大ドットの液滴Ａを用いて画像を形成した場合でも、粒状感を損なうことなく良好な画像を形成することが判明した。
【００８５】
また、印字ｄｕｔｙが０％以上の領域に液滴Ａを用いて画像を形成した場合（実施例１）は、イエローインク組成物（Ｙ）については良好な粒状性が得られ、マゼンタインク組成物（Ｍ）及びシアンインク組成物（Ｃ）についても、問題なく印刷できることが判明した。このような効果は、インクジェット専用記録媒体であれば顔料濃度が低いインク（実施例４）であっても認められることが判明した。
【００８６】
また、印字ｄｕｔｙが３０％以上の領域に液滴Ａを用いて画像を形成した場合（実施例２）は、イエローインク組成物（Ｙ）及びマゼンタインク組成物（Ｍ）ともに良好な粒状性が得られ、シアンインク組成物（Ｃ）についても、粒状感に関しては問題なく印刷できることが判明した。
【００８７】
先の試験例１の結果と併せて考慮すれば、最大液滴を用いるｄｕｔｙ領域は、イエローインク組成物（Ｙ）はｄｕｔｙ０％以上、マゼンタインク組成物（Ｍ）はｄｕｔｙ３０％以上、シアンインク組成物（Ｃ）はｄｕｔｙ６０％以上とすることで、光沢向上と粒状性の両立を確保することが可能であることが判明した。
【００８８】
なお、比較例１は中ドット（液滴Ｂ）及び／又は小ドット（液滴Ｃ）を併用して画像を形成しているため、粒状感は良好であることが確認された。
【００８９】
［試験例３］普通紙での発色性の評価
実施例５〜７及び比較例２の記録物をサンプルとして、発色性の評価を行った。発色性の評価は、各サンプルの濃度（ＯＤ値）をグレタグ濃度計ＳＰＭ５０（グレタグマクベス社製）を用いて測定した。測定は各サンプルごとに３回行い、その平均値を求めた。そして、算出した平均ＯＤ値につき、以下の評価基準で発色性を評価した。結果を表５に示す。
Ａ：ＯＤ値１．２以上
Ｂ：ＯＤ値１．０〜１．２未満
Ｃ：ＯＤ値１．０未満
【００９０】
【表５】
2007098790.tif 000008
【００９１】
表５に示すように、実施例５〜７の記録物は、いずれも普通紙での発色性が優れていることが判明した。また、顔料固形分が６重量％の顔料インクを用いた実施例５の発色性が良好で、顔料固形分が２重量％の顔料インクを用いた比較例２の発色性は劣っていたことから、本発明のインクジェット記録方法において普通紙での発色性を確保する場合は、顔料濃度が高いインクを用いることが好ましいことが明らかとなった。
【００９２】
以上説明したように、本発明のインクジェット記録方法は、複数の大きさの液滴を吐出することが可能な液体吐出装置を使用して顔料インク組成物を記録媒体に吐出して画像を形成する際、大ドットの液滴を使用することにより、光沢性に優れた画像を形成することができる。また、本発明のインクジェット記録方法は、顔料インク組成物の顔料種に応じて、最大の液滴を使用する印字ｄｕｔｙ領域を選択することにより、光沢性の向上と粒状性の向上が両立しうる。更に、顔料濃度が高いインクを用いることにより、普通紙での発色性も確保することができる。
【００９３】
また、本実施形態においては、イエローインク組成物、マゼンタインク組成物、シアンインク組成物それぞれについて単色での評価を行ったが、コンポジット処理により２色以上を混合して画像を形成する場合においても本発明を適用することが可能である。更に、ブラックインク組成物を用いて画像を形成する場合においても、上記カラーインク組成物と同様、本発明を適用することが可能である。